(57)【特許請求の範囲】
【請求項１】
板状のパネル本体とその表面に貼り付けられる複数枚のタイルとを備えたタイル貼りパネルであって、
前記パネル本体は、内角が鈍角になるように屈曲されるとともに、その両側縁に取付部が形成されるものであって、前記パネル本体の両側縁には、前記タイルが貼り付けられる面に略直交する長尺状の縁部が延設され、前記取付部は、その縁部に対して前記パネル本体の外側に向けて屈曲されており、前記取付部を介して固定手段によって被取付部に固定されることを特徴とするタイル貼りパネル。
【請求項２】
前記取付部の外側に前記固定手段による固定の後に嵌合される見切りカバーを備えたことを特徴とする請求項１に記載のタイル貼りパネル。
【請求項３】
請求項１又は２に記載のタイル貼りパネルを取り付けるタイル貼りパネルの設置方法であって、
前記被取付部に対して前記取付部を外側に開いた状態で前記タイル貼りパネルを嵌める工程と、
前記取付部を内側に変形させて前記固定手段によって前記被取付部に固定する工程とを備えたことを特徴とするタイル貼りパネルの設置方法。
【発明の詳細な説明】
【技術分野】
【０００１】
本発明は、複数枚のタイルが貼り付けられたタイル貼りパネル、及びその設置方法に関するものである。
【背景技術】
【０００２】
従来、建物の外壁にタイルを貼り付ける際に、予め工場で複数枚のタイルを貼り付けたパネルを製作し、現場での施工を省力化する工法が知られている（特許文献１など参照）。
【０００３】
また、特許文献１には、外壁が直交する出隅部に配置される、防水性能に優れた軽量のタイル貼りパネルが開示されている。
【特許文献１】特許第３０２０２８８号公報
【発明の開示】
【発明が解決しようとする課題】
【０００４】
一方、サンルーム、出窓、バルコニーなどを弓形に張り出させて、外観を際立たせるとともに、雰囲気のある室内空間を形成するボウウィンドウやボウバルコニーが知られている。
【０００５】
これらのボウウィンドウやボウバルコニーには、直角にならない出隅部が発生することになり、そのような出隅部に配置するためのタイル貼りパネルが望まれている。
【０００６】
そこで、本発明は、ボウウィンドウやボウバルコニーなどの鈍角となる出隅部に容易に配置できるタイル貼りパネル、及びその設置方法を提供することを目的としている。
【課題を解決するための手段】
【０００７】
前記目的を達成するために、本発明のタイル貼りパネルは、板状のパネル本体とその表面に貼り付けられる複数枚のタイルとを備えたタイル貼りパネルであって、前記パネル本体は、内角が鈍角になるように屈曲されるとともに、その両側縁に取付部が形成されており、前記取付部を介して固定手段によって被取付部に固定されることを特徴とする。
【０００８】
ここで、前記取付部は、前記被取付部の形状に対して先端が離隔する形状に成形されるとともに、前記固定手段によって前記被取付部に沿って固定されるように構成することができる。
【０００９】
また、前記パネル本体の両側縁には、前記タイルが貼り付けられる面に略直交する長尺状の縁部が延設され、前記取付部は、その縁部に対して前記パネル本体の外側に向けて屈曲されている構成としてもよい。
【００１０】
さらに、前記取付部の外側に前記固定手段による固定の後に嵌合される見切りカバーを備えることができる。
【００１１】
また、本発明のタイル貼りパネルの設置方法は、上記いずれかのタイル貼りパネルを取り付けるタイル貼りパネルの設置方法であって、前記被取付部に対して前記取付部を外側に開いた状態で前記タイル貼りパネルを嵌める工程と、前記取付部を内側に変形させて前記固定手段によって前記被取付部に固定する工程とを備えている。
【発明の効果】
【００１２】
このように構成された本発明のタイル貼りパネルは、内角が鈍角になるようにパネル本体が屈曲されており、その表面に複数枚のタイルが貼り付けられている。また、パネル本体の両側縁には取付部が形成されている。
【００１３】
このため、表面にタイルが貼り付けられたパネルを、被取付部に取付部を介して固定手段で固定するだけで、容易に鈍角となる出隅部にタイルを貼った外壁を設けることができる。
【００１４】
また、取付部の形状を、被取付部の形状に対して先端が離隔する形状に成形しておくことで、タイル貼りパネルを容易に被取付部に嵌めることができる。
【００１５】
特に、パネル本体の側縁に縁部を設けることによって、パネル本体の剛性を高めることができるので、タイル貼りパネルを軽量化することができる。
【００１６】
さらに、外側に露出する取付部に対して、見切りカバーを配置することによって、その露出部を覆い隠して外観を良くすることができる。
【００１７】
また、取付部を外側に開いた状態でタイル貼りパネルを嵌める工程と、取付部を内側に変形させて被取付部に固定する工程とによってタイル貼りパネルを設置する方法であれば、被取付部を傷つけることなく、迅速にタイル貼りパネルを設置することができるうえに、タイル貼りパネルを確実に被取付部に固定することができる。
【発明を実施するための最良の形態】
【００１８】
以下、本発明の最良の実施の形態について図面を参照して説明する。
【００１９】
図２は、本実施の形態のタイル貼りパネル２，５を出隅部に取り付けるサンルーム１の斜視図である。
【００２０】
このサンルーム１は、窓部１１，・・・を多角形に配置することによって弓形に張り出したボウウィンドウが形成されている。
【００２１】
また、サンルーム１の屋根は、二等辺三角形状の屋根パネル１２，・・・によって多角形に形成されており、その形状に沿って窓部１１，・・・が配置されている。そして、窓部１１，１１間には、平面視山形のタイル貼りパネル２が取り付けられ、サンルーム１の側縁に配置された窓部１１に隣接して平面視へ字形のタイル貼りパネル５が取り付けられる。
【００２２】
図１は、この平面視山形のタイル貼りパネル２を、窓部１１，１１間に取り付けた構成を示した断面図である。
【００２３】
まず、構成から説明すると、このタイル貼りパネル２は、図３，４に示すように、複数枚のタイル２１，・・・と、それらを表面に貼り付ける板状のパネル本体２２と、パネル本体２２の裏側に取り付けられる裏打ち材２４，２４と、パネル本体２２の側縁に形成される取付部２３と、その取付部２３を覆う見切りカバー２５（図１参照）とから主に構成されている。
【００２４】
このパネル本体２２は、アルミ板などを折り曲げて平面視山形に成形されており、その略中央に設置時の上下方向に延設される屈曲部２２ａは、図１，４に示すように、内角が９０度より広く１８０度より狭い鈍角に形成されている。そして、複数枚のタイル２１，・・・は、このパネル本体２２の表面に接着剤で貼り付けられている。
【００２５】
また、パネル本体２２の裏面には、屈曲部２２ａを挟んだ２面に裏打ち材２４，２４が取り付けられる。この裏打ち材２４，２４は、例えば防水性の合板である。
【００２６】
さらに、図４及び図３（ｂ）に示すように、平面視山形のパネル本体２２の両側縁には、タイル２１，・・・が貼り付けられる面に略直交する長尺状の縁部２２ｂ，２２ｂが上下方向に延設されている。
【００２７】
また、その縁部２２ｂには、図３（ｂ）に示すように、設置する際に上下方向となる方向に間隔を置いて、複数の片が取付部２３，・・・として設けられている。
【００２８】
さらに、この取付部２３には、固定手段としてのネジ状部材であるタッピンビス４を挿通させるためのビス穴２３ａが穿孔されている。
【００２９】
また、取付部２３，２３は、図４に示すように、縁部２２ｂ，２２ｂからその突出方向よりもパネル本体２２の外側に向けて開くように屈曲されている。
【００３０】
さらに、縁部２２ｂの取付部２３，２３間には、図３（ｂ）に示すように、見切りカバー２５を嵌合させる取付金具２５ａを取り付けるための金具用切欠き２５ｃが形成されている。
【００３１】
このように形成されたタイル貼りパネル２は、図１に示すように、窓部１１，１１間の出隅部に配置される。このタイル貼りパネル２を取り付けるサンルーム１側の被取付部としての外壁側下地材１３は、硬質木片セメント板によって、出隅部の下地となる平面視山形の面とその両側縁の袖部１３ａ，１３ａとによって平面視王冠状に形成されている。
【００３２】
また、この外壁側下地材１３は、集成材などによって構成される支柱部１４に取り付けられ、その支柱部１４の室内側には内壁材１５が貼り付けられている。
【００３３】
そして、タイル貼りパネル２の取付部２３は、図１の右側の窓部１１との間に図示したように、タッピンビス４によって袖部１３ａに固定されている。
【００３４】
また、縁部２２ｂの金具用切欠き２５ｃには、図１の左側の窓部１１との間に図示したように、取付金具２５ａが配置され、袖部１３ａに取付ビス２５ｂによって固定されている。そして、取付金具２５ａの爪に外側から見切りカバー２５の裏面の爪を嵌合させることによって、タイル貼りパネル２の両側縁を見切りカバー２５，２５によって被覆する。
【００３５】
また、窓部１１の下部には水切り材３が取り付けられている。
【００３６】
一方、図２の右側に示したように、サンルーム１の側縁の窓部１１と建物本体（図示せず）との間には、平面視へ字形のタイル貼りパネル５と見切りカバー５５が取り付けられる。
【００３７】
このタイル貼りパネル５は、図５に示すように、平面視逆へ字形に折り曲げられたパネル本体５２と、その表面に接着剤で貼り付けられる複数枚のタイル５１，・・・と、パネル本体５２の裏面に取り付けられる裏打ち材５４，５４と、パネル本体５２の縁部５２ｂ，５２ｂに設けられる取付部５３１，５３２とを備えている。
【００３８】
この取付部５３１は、上述したタイル貼りパネル２の取付部２３と同様に、縁部５２ｂからパネル本体５２の外側に向けて屈曲されている。他方、図５の左側に示した取付部５３２は、縁部５２ｂから直角に折り曲げられて建物本体側に固定できるようになっている。また、これらの取付部５３１，５３２には、固定手段としてのタッピンビス４を挿通させるためのビス穴５３ａ，５３ａがそれぞれ穿孔されている。
【００３９】
次に、本実施の形態のタイル貼りパネル２の設置方法について、図６を参照しながら説明する。
【００４０】
まず、工場で上述したタイル貼りパネル２を製作する。そして、同じく工場において、図２に示すように、サンルーム１の窓部１１，・・・、屋根パネル１２，・・・などを組み立てる。
【００４１】
そして、図６（ａ）は、窓部１１，１１間に設けられる平面視王冠状の外壁側下地材１３に、タイル貼りパネル２を嵌める工程を説明する図である。
【００４２】
このタイル貼りパネル２は、外壁側下地材１３の正面から水平移動させて嵌めることになるが、このとき、取付部２３，２３が外壁側下地材１３の外形よりも開いた状態であるため、取付部２３，２３の先端が外壁側下地材１３の表面に当接することがなく、スムーズに嵌めることができる。
【００４３】
そして、図６（ｂ）に示すように、取付部２３，２３のビス穴２３ａ，２３ａに向けてタッピンビス４，４をそれぞれ打ち込み、取付部２３，２３を二点鎖線で示すように外壁側下地材１３側に変形させて、袖部１３ａ，１３ａに沿って固定をおこなう（図１の右側部分参照）。
【００４４】
次に、本実施の形態のタイル貼りパネル２，５、及びその設置方法の作用について説明する。
【００４５】
このように構成された本実施の形態のタイル貼りパネル２，５は、平面視で内角が鈍角になるようにパネル本体２２，５２が屈曲されて屈曲部２２ａ，５２ａが形成されており、その表面に複数枚のタイル２１，５１が貼り付けられている。また、パネル本体２２，５２の両側縁には、取付部２３，５３１，５３２が形成されている。
【００４６】
このため、表面にタイル２１，５１が貼り付けられたパネルを、外壁側下地材１３の袖部１３ａなどに取付部２３，５３１，５３２を介してタッピンビス４で固定するだけで、容易に鈍角となる出隅部にタイル２１，５１を貼った外壁を設けることができる。
【００４７】
また、取付部２３，５３１，５３２の形状を、外壁側下地材１３などの形状に対して先端が離隔する形状に成形しておくことで、タイル貼りパネル２，５を容易に外壁側下地材１３などに嵌めることができる。
【００４８】
すなわち、取付部２３，５３１が、縁部２２ｂ，５２ｂと同じ方向に延設されていると、平面視王冠状の外壁側下地材１３に嵌める際に、取付部２３，５３１の先端との隙間が少なく、施工誤差などがあれば、取付部２３，５３１の先端が外壁側下地材１３に当たって、設置が困難になったり、外壁側下地材１３を傷つけたりするおそれがある。
【００４９】
これに対して、取付部２３，５３１，５３２の形状を、外壁側下地材１３などの形状に対して先端が離隔する形状に成形しておけば、取付部２３，５３１，５３２がガイドになって、外壁側下地材１３を傷つけることなく容易にタイル貼りパネル２，５を嵌めることができる。
【００５０】
特に、パネル本体２２，５２の側縁に縁部２２ｂ，５２ｂを設けることによって、パネル本体２２，５２の剛性を高めることができるので、パネル本体２２，５２の板厚を薄くしてタイル貼りパネル２，５を軽量化することができる。
【００５１】
さらに、固定手段がタッピンビス４などのネジ状部材である場合は、外側から取付部２３，５３１を固定した場合にネジ頭部などが外部に露出することになるが、見切りカバー２５，５５を配置することによって、タッピンビス４の頭部などを覆い隠して外観を良くすることができる。
【００５２】
また、取付部２３，５３１を外側に開いた状態でタイル貼りパネル２，５を嵌める工程と、取付部２３，５３１を内側に変形させて外壁側下地材１３に固定する工程とによってタイル貼りパネル２，５を設置する方法であれば、外壁側下地材１３を傷つけることなく、迅速にタイル貼りパネル２，５を設置することができるうえに、取付部２３，５３１を密着させるなどしてタイル貼りパネル２，５を確実に外壁側下地材１３に固定することができる。
【００５３】
以上、図面を参照して、本発明の最良の実施の形態を詳述してきたが、具体的な構成は、この実施の形態に限らず、本発明の要旨を逸脱しない程度の設計的変更は、本発明に含まれる。
【００５４】
例えば、前記実施の形態では、片状の取付部２３，５３１，５３２を間隔を置いて複数設ける場合について説明したが、これに限定されるものではなく、例えば長尺状の縁部２２ｂ，５２ｂを穿孔して取付部としてもよい。
【００５５】
また、前記実施の形態では、固定手段としてタッピンビス４について説明したが、これに限定されるものではなく、ボルト、釘、接着剤、ステプラーなどを固定手段として使用することもできる。
【図面の簡単な説明】
【００５６】
【図１】本発明の最良の実施の形態のタイル貼りパネルを設置した構成を説明する断面図である。
【図２】サンルームにタイル貼りパネルを設置する工程を説明する斜視図である。
【図３】（ａ）はタイル貼りパネルの正面図、（ｂ）はタイル貼りパネルの側縁を見た側面図である。
【図４】タイル貼りパネルを図３（ａ）のＡ−Ａ矢視方向で見た断面図である。
【図５】サンルームの側縁に配置されるタイル貼りパネルの構成を示した断面図である。
【図６】タイル貼りパネルの設置方法を説明する図であって、（ａ）はタイル貼りパネルを嵌める工程の説明図、（ｂ）は取付部を被取付部に固定する工程の説明図である。
【符号の説明】
【００５７】
１３          外壁側下地材（被取付部）
２，５        タイル貼りパネル
２１，５１    タイル
２２，５２    パネル本体
２２ａ，５２ａ  屈曲部
２３，５３１  取付部
４            タッピンビス（固定手段）
【図１】
0005123626.tif 000002
【図２】
0005123626.tif 000003
【図３】
0005123626.tif 000004
【図４】
0005123626.tif 000005
【図５】
0005123626.tif 000006
【図６】
0005123626.tif 000007